(57)【要約】【課題】  遊技店内のレイアウトまたは遊技島構造等に合わせて、部品を交換等することなく容易に設置変更ができるようにする。【解決手段】  管理ボックス１３は、ボックス本体２１と、前扉２２と、一方の側面のみに配置される側面扉とを備え、背面側からスタッカ装置１１及びコントローラ１２を収納する。ボックス本体２１は、上下方向を第１の方向とこれとは逆の第２の方向を選択してボックス本体２１を背面フレーム１４に取り付けることが可能になっている。ボックス本体２１の上下方向を変更することで、前扉２２及び前記側面扉の開く方向を変更できる。これにより、遊技店内の遊技島構造の実情に合わせて、部品を交換等することなく容易に設置変更ができる。【選択図】  図２
2006204726.tif 000002
【特許請求の範囲】
【請求項１】
遊技島の島端に搬送される紙幣を収納するスタッカ装置と、各島の遊技設備の管理を行うコントローラとを管理ボックス内に収容した遊技島の島端装置であって、
前記スタッカ装置及び前記コントローラを取り付けた状態で前記遊技島の島端の隔壁に取り付け固定可能な背面フレームを備え、
前記管理ボックスは、背面、前面及び一方の側面が開口し、上面、下面及び他方の側面が閉塞し、前記背面側から前記スタッカ装置及び前記コントローラを収納するボックス本体と、
一辺が前記ボックス本体に対して上下方向を軸にして回動可能に取り付けられることで前記前面の開口を閉塞させる前扉と、
一辺が前記ボックス本体に対して上下方向を軸にして回動可能に取り付けられることで前記一方の側面の開口を閉塞させる側面扉と、
前記ボックス本体の上下方向を第１の方向に向けて当該ボックス本体を前記背面フレームに取り付ける第１の取り付け手段と、
前記ボックス本体の上下方向を第１の方向とは逆の第２の方向に向けて当該ボックス本体を前記背面フレームに取り付ける第２の取り付け手段とを備えていることを特徴とする遊技島の島端装置。
【請求項２】
前記前扉の一辺は、前記ボックス本体の前記前面の開口における前記他方の側面側の位置で回動可能に取り付けられ、前記側面扉の一辺は、前記ボックス本体の前記一方の側面の開口における背面側の位置で回動可能に取り付けられていることを特徴とする請求項１に記載の遊技島の島端装置。
【請求項３】
前記スタッカ装置を前記背面フレームに上下方向を軸にして回動可能に取り付ける蝶番機構を備え、当該蝶番機構は、前記スタッカ装置の背面左側と前記背面フレームの前面左側との間に取り付け可能に形成されるとともに、前記スタッカ装置の背面右側と前記背面フレームの前面右側との間に取り付け可能に形成されることを特徴とする請求項１または２に記載の遊技島の島端装置。
【請求項４】
前記背面フレームは、前記コントローラを上側に取り付け、前記スタッカ装置を前記コントローラの下側に取り付ける第１のスタッカ装置及びコントローラ取り付け手段と、前記スタッカ装置を上側に取り付け、前記コントローラを前記スタッカ装置の下側に取り付ける第２のスタッカ装置及びコントローラ取り付け手段とを備えていることを特徴とする請求項１〜３の何れか１項に記載の遊技島の島端装置。
【発明の詳細な説明】
【技術分野】
【０００１】
本発明は、例えばパチスロ機、パチンコ機等の複数台の遊技機を一群に設置した遊技島において、遊技媒体の貸し出しに際して投入された紙幣を収納すると共に、各島の遊技設備を管理するための遊技島の島端装置に関する。
【背景技術】
【０００２】
従来、パチンコ店、パチスロ店などの遊技店においては、横方向に複数台の遊技機、例えばパチスロ機、パチンコ機を直線状に設置することにより、いわゆる遊技島を構成している。横並びの遊技機の２台毎か１台毎の台間には、紙幣を利用しその遊技に使用するメダルやパチンコ玉等の遊技媒体を貸出す縦長の遊技媒体貸出機が付設されている。さらに、遊技媒体貸出機に投入された紙幣は、遊技機の背面に設けられた紙幣搬送装置によって、遊技島の島端の隔壁に設けられた島端装置に搬送され、収納されるようになっている。
【０００３】
ここで、前記島端装置は、例えば特許文献１に開示されている島端装置のように、遊技島の島端に搬送される紙幣を収納するスタッカ装置と、各島の遊技設備の管理を行うコントローラとを管理ボックス内に収容している。上記スタッカ装置は、紙幣整順部，紙幣振分部及び紙幣収容部から構成されており、遊技島の紙幣搬送装置により搬送されてくる紙幣を紙幣整順部により受け入れて１枚ずつ整順し、紙幣振分部により金額別に振り分けて、紙幣収容部に収容するようになっている。
【０００４】
【特許文献１】特開２００２−１６６０３２号公報
【発明の開示】
【発明が解決しようとする課題】
【０００５】
ところで、このような従来の島端装置は、壁際に配置したり、柱に近接して配置したりする場合があり、またジェットカウンタ（玉計数機、メダル計数機）や硬貨回収装置等の他の設備が遊技島に併設される場合も多い。一方、島端装置の管理ボックスは、紙幣やメダル等を回収したりメンテナンスを行うために各種扉を開閉する必要があるが、遊技店内の壁や柱等に扉の開閉動作が阻害されないように、店内のレイアウトや遊技島の構造等の実情に応じて予めその扉等の開閉方向が決められている。
【０００６】
すなわち、従来、島端装置を遊技店に設置する場合には、島端装置を製作販売する会社の従業員が予め遊技店内のレイアウトを調査し、これに応じて設置する管理ボックスの扉の開閉方向等の仕様を決め、それに合った島端装置の部品を遊技店に発送するなど個別に対応していた。
【０００７】
更には、島端装置の設置作業を開始した後に何らかの原因で予定していた設置位置が変更となり、例えば管理ボックスの扉の開閉方向を変更せざるを得ない場合もある。かかる場合には、現場に適合した部品を新たに追加、発送等することとなり、設置作業が遅延したり、そのために費やされるコストが嵩むといった問題があった。
【０００８】
本発明は、こうした従来の問題に鑑みてなされたものであり、島端装置の設置に自由度をもたせることで、遊技店内のレイアウトや遊技島構造に合わせて、部品を交換等することなく容易に設置変更ができる等の遊技島の島端装置を提供することを目的としている。
【課題を解決するための手段】
【０００９】
上述した課題を解決するため、請求項１に記載の発明は、遊技島の島端に搬送される紙幣を収納するスタッカ装置と、各島の遊技設備の管理を行うコントローラとを管理ボックス内に収容した遊技島の島端装置であって、前記スタッカ装置及び前記コントローラを取り付けた状態で前記遊技島の島端の隔壁に取り付け固定可能な背面フレームを備えている。前記管理ボックスは、背面、前面及び一方の側面が開口し、上面、下面及び他方の側面が閉塞し、前記背面側から前記スタッカ装置及び前記コントローラを収納するボックス本体と、一辺が前記ボックス本体に対して上下方向を軸にして回動可能に取り付けられることで前記前面の開口を閉塞させる前扉と、一辺が前記ボックス本体に対して上下方向を軸にして回動可能に取り付けられることで前記一方の側面の開口を閉塞させる側面扉と、前記ボックス本体の上下方向を第１の方向に向けて当該ボックス本体を前記背面フレームに取り付ける第１の取り付け手段と、前記ボックス本体の上下方向を第１の方向とは逆の第２の方向に向けて当該ボックス本体を前記背面フレームに取り付ける第２の取り付け手段とを備えている。
【００１０】
請求項２に記載の発明は、請求項１に記載の遊技島の島端装置であって、前記前扉の一辺は、前記ボックス本体の前記前面の開口における前記他方の側面側の位置で回動可能に取り付けられ、前記側面扉の一辺は、前記ボックス本体の前記一方の側面の開口における背面側の位置で回動可能に取り付けられていることを特徴とする。
【００１１】
請求項３に記載の発明は、請求項１又は２に記載の遊技島の島端装置であって、前記スタッカ装置を前記背面フレームに上下方向を軸にして回動可能に取り付ける蝶番機構を備え、当該蝶番機構は、前記スタッカ装置の背面左側と前記背面フレームの前面左側との間に取り付け可能に形成されるとともに、前記スタッカ装置の背面右側と前記背面フレームの前面右側との間に取り付け可能に形成されることを特徴とする。
【００１２】
請求項４に記載の発明は、請求項１〜３の何れか１項に記載の遊技島の島端装置であって、前記遊技用記憶媒体発行装置は、前記コントローラを上側に取り付け、前記スタッカ装置を前記コントローラの下側に取り付ける第１のスタッカ装置及びコントローラ取り付け手段と、前記スタッカ装置を上側に取り付け、前記コントローラを前記スタッカ装置の下側に取り付ける第２のスタッカ装置及びコントローラ取り付け手段とを備えていることを特徴とする。
【００１３】
請求項１に記載の遊技島の島端装置によれば、前記ボックス本体の上下方向を変更することで、部品を交換等することなく管理ボックスの前扉と側面扉の開閉方向を変更できる。
【００１４】
請求項２に記載の遊技島の島端装置によれば、前扉と側面扉を中央から左右両側に対称に開くようにした場合にも、前記ボックス本体の上下方向を変更することで、部品を交換等することなく管理ボックスの前扉と側面扉の開閉方向を変更できる。
【００１５】
請求項３に記載の遊技島の島端装置によれば、蝶番機構の取り付け位置を、前記スタッカ装置の背面左側及び前記背面フレームの前面左側間と、前記スタッカ装置の背面右側及び前記背面フレームの前面右側間とで変更することで、部品を交換等することなくスタッカ装置の取り付け／取り外しの際の移動方向を変更できる。
【００１６】
請求項４に記載の遊技島の島端装置によれば、前記背面フレームにスタッカ装置とコントローラを取り付ける際に用いる取り付け手段を、第１のスタッカ装置及びコントローラ取り付け手段と第２のスタッカ装置及びコントローラ取り付け手段とで変更することで、部品を交換等することなくスタッカ装置とコントローラの配置関係を変更できる。
【発明の効果】
【００１７】
本発明に係る遊技島の島端装置によれば、管理ボックスの扉の開閉方向、スタッカ装置の取り付け／取り外し方向、またはスタッカ装置とコントローラの配置関係を変更できる等、設置の態様にある程度の自由度をもたせることができるので、遊技店内のレイアウトまたは遊技島構造の実情に合わせて、部品を交換等することなく容易に設置変更ができる。例えば、島端装置の設置作業開始時に、何らかの原因で予定の配置位置を変更せざるを得なくなった場合でも、新規の部品を追加等することなく、現場において迅速に対応することができる。これにより、島端装置の現場での設置及び保守作業を容易かつ迅速に行えるようにし、また作業に費やされるコストを大幅に低減することができる。
【発明を実施するための最良の形態】
【００１８】
以下、本発明に係る遊技島の島端装置の好適な一実施形態として紙幣用台間メダル貸出機とパチスロ機（回胴式遊技機）を組み合わせた遊技島１の島端装置を例に図面を参照して説明する。なお、図１は遊技島１の構成を示す斜視図、図２は島端装置９の分解斜視図、図３は島端装置9の管理ボックス１３の背面側から見た斜視図、図４は遊技島１の隔壁８に背面フレーム１４を取り付けた状態の斜視図、図５は隔壁８に背面フレーム１４とスタッカ装置１１とコントローラ１２を取り付けた状態の斜視図、図６は隔壁８に組み立てた島端装置９を取り付けた状態の斜視図、図７は図６に示した島端装置９を左側から見た斜視図、図８は図７に示した島端装置９の前扉２２と側面扉２３を開いた状態の斜視図、図９は図８に示した島端装置９のスタッカ装置１１を左側に移動させた状態の斜視図、図１０は図６に示した島端装置９を組み替え側面扉２３の位置とスタッカ装置１１の移動可能な方向を変更した状態の斜視図、図１１は図１０に示した状態の島端装置９のスタッカ装置１１を右側に移動させた状態の斜視図、図１２は図４に示した隔壁８に背面フレーム１４を上下逆にして取り付けた状態の斜視図、図１３は図１２に示した隔壁８に背面フレーム１４とスタッカ装置１１とコントローラ１２を取り付けた状態の斜視図である。
【００１９】
まず、パチスロ店などの遊技店における遊技島について説明する。図１において、遊技島１には、複数台の遊技機（パチスロ機）２が、直線状に配列されている。さらに、これら横並びの遊技機２の台間には、遊技媒体貸出機（紙幣用台間メダル貸出機）３が設けられている。遊技媒体貸出機３の箱状の筐体の前面には、上から順に、現金の紙幣が投入される現金投入口４、メダル排出口５が設けられている。遊技媒体貸出機３に投入された紙幣６は、遊技機２の背面に設けられた紙幣搬送装置７によって、遊技島１の島端の隔壁８に設けられた島端装置９に搬送され、収納されるようになっている。
【００２０】
次に島端装置９について詳細に説明する。図２に示すように、島端装置９は、スタッカ装置１１と、コントローラ１２と、管理ボックス１３と、背面フレーム１４と、蝶番機構１５とを備えている。
【００２１】
スタッカ装置１１は、紙幣搬送装置７によって遊技島１の島端に搬送される紙幣を収納する。コントローラ１２は、各島の遊技設備の管理を行う。管理ボックス１３は、スタッカ装置１１及びコントローラ１２を収容する。
【００２２】
背面フレーム１４は、前記スタッカ装置１１及び前記コントローラ１２を取り付けた状態で前記遊技島１の島端の隔壁８に取り付け固定可能になっている。蝶番機構１５は、前記スタッカ装置１１を前記背面フレーム１４に上下方向を軸にして回動可能に取り付ける。
【００２３】
前記管理ボックス１３は、ボックス本体２１と、前扉２２と、側面扉２３（図３参照）とを備えている。ボックス本体２１は、背面３１（図３参照）、前面３２（図８参照）及び一方の側面３３（図８参照）が開口し、上面３４、下面３５及び他方の側面３６が閉塞し、前記背面３１側から前記スタッカ装置１１及び前記コントローラ１２を収納する。
【００２４】
前扉２２は、一辺が前記ボックス本体２１に対して上下方向を軸にして回動可能に取り付けられることで前記前面３２（図８参照）の開口３７（図８参照）を閉塞させる。前記前扉２２の一辺は、前記ボックス本体２１の前記前面３２（図８参照）の開口３７（図８参照）における前記他方の側面３６側の位置で回動可能に取り付けられている。
【００２５】
図３に示すように、側面扉２３は、一辺が前記ボックス本体２１に対して上下方向を軸にして回動可能に取り付けられることで前記一方の側面３３の開口３８を閉塞させる。前記側面扉２３の一辺は、前記ボックス本体２１の前記一方の側面３３の開口３８における背面３１側の位置で回動可能に取り付けられている。
【００２６】
図２に示すように、ボックス本体２１の上面３４における背面３１近傍の左側及び右側には、それぞれスリット４１、４２が形成されている。スリット４１、４２は、前記ボックス本体２１の上下方向を第１の方向に向けて当該ボックス本体２１を前記背面フレーム１４に取り付ける第１の取り付け手段となっている。
【００２７】
ボックス本体２１の下面３５における背面３１近傍の左側及び右側には、それぞれスリット４３、４４が形成されている。スリット４３、４４は、前記ボックス本体２１の上下方向を第１の方向とは逆の第２の方向に向けて当該ボックス本体２１を前記背面フレーム１４に取り付ける第２の取り付け手段となっている。
【００２８】
蝶番機構１５は、前記スタッカ装置１１の背面左側と前記背面フレーム１４の前面左側との間に取り付け可能に形成されるとともに、前記スタッカ装置１１の背面右側と前記背面フレーム１４の前面右側との間に取り付け可能に形成されている。
【００２９】
背面フレーム１４は、隔壁８に対して上下を逆にして取り付け可能になっている。前記背面フレーム１４は、前記コントローラ１２をネジ止めするためのネジ穴４５、４６、４７、４８と、蝶番機構１５をネジ止め固定するためのネジ穴４９、５０、５１、５２とが形成されている。
【００３０】
ネジ穴４５、４６、４７、４８、４９、５０、５１、５２は、背面フレーム１４が隔壁８に図２に示す上下方向で取り付けられる場合に、前記コントローラ１２を上側に取り付け、前記スタッカ装置１１を前記コントローラ１２の下側に取り付ける第１のスタッカ装置及びコントローラ取り付け手段となる。また、ネジ穴４５、４６、４７、４８、４９、５０、５１、５２は、背面フレーム１４が隔壁８に図２に示す上下方向とは逆の方向で取り付けられる場合に、前記コントローラ１２を下側に取り付け、前記スタッカ装置１１を前記コントローラ１２の上側に取り付ける第２のスタッカ装置及びコントローラ取り付け手段となる。
【００３１】
以下、背面フレーム１４について詳細に説明する。図４に示すように、背面フレーム１４は、コントローラ用取り付けフレーム６１と、スタッカ装置用取り付けフレーム６２と、取り付け金具６３、６４とを備えている。コントローラ用取り付けフレーム６１とスタッカ装置用取り付けフレーム６２は、水平方向が同じ幅に形成され、上下に並べて隔壁８に取り付けられている。
【００３２】
コントローラ用取り付けフレーム６１は、例えば、ステンレス等の鉄製合金を略長方形に板金形成したものである。このコントローラ用取り付けフレーム６１は、隔壁８に当接する垂直面部６５を有している。コントローラ用取り付けフレーム６１の一方の長辺側（図上側）は、前面側に向けて折曲されて水平面部６６が形成されている。水平面部６６の外側面（図中上側面）には、板状の突起部６７、６８が左右に並べて立設されている。
【００３３】
突起部６７は、ボックス本体２１（図３参照）の上面３４（図３参照）のスリット４１（図３参照）または、ボックス本体２１（図３参照）の下面３５（図３参照）のスリット４４（図３参照）に挿入されるようになっている。突起部６８は、ボックス本体２１（図３参照）の上面３４（図３参照）のスリット４２（図３参照）または、ボックス本体２１（図３参照）の下面３５（図３参照）のスリット４３（図３参照）に挿入されるようになっている。垂直面部６５の四隅近傍には、前記コントローラ１２（図２参照）をネジ止めするためのネジ穴４５、４６、４７、４８が形成されている。
【００３４】
垂直面部６５の他方の長辺側には、ネジ７１、７２、７３、７４のネジ部が挿入される図示しない貫通孔が形成されている。取り付け金具６３には、ネジ７１、７２のネジ部が挿入される図示しない貫通孔が形成されている。取り付け金具６４は、ネジ７３、７４のネジ部が挿入される図示しない貫通孔が形成されている。ネジ７１、７２、７３、７４は、そのネジ部が取り付け金具６３、６４の貫通孔に挿入し垂直面部６５の貫通孔に挿入し隔壁８に螺入することで、コントローラ用取り付けフレーム６１を隔壁８にネジ止め固定する。
【００３５】
スタッカ装置用取り付けフレーム６２は、ステンレス等の鉄製合金を略長方形に板金形成したものである。スタッカ装置用取り付けフレーム６２は、隔壁８に当接する垂直面部８１を有している。コントローラ用取り付けフレーム６１の一方の長辺側（図中下側）は、前面側に向けて折曲されて水平面部８２が形成される。水平面部８２の外側面（図中下側面）には、板状の突起部８３、８４が左右に並べて立設されている。突起部８３は、ボックス本体２１（図３参照）の上面３４（図３参照）のスリット４２（図３参照）または、ボックス本体２１（図３参照）の下面３５（図３参照）のスリット４３（図３参照）に挿入されるようになっている。突起部８４は、ボックス本体２１（図３参照）の上面３４（図３参照）のスリット４１（図３参照）または、ボックス本体２１（図３参照）の下面３５（図３参照）のスリット４４（図３参照）に挿入されるようになっている。垂直面部８１の中央には、隔壁８に設けられた紙幣搬送装置７の紙幣排出口８５を露出させるための貫通部８６が形成されている。垂直面部８１の貫通部８６の左側には、蝶番機構１５（図２参照）を左側に取り付けるためのネジ穴４９、５０が形成され、貫通部８６の右側には、蝶番機構１５（図２参照）を右側に取り付けるためのネジ穴５１、５２が形成されている。
【００３６】
垂直面部８１の他方の長辺側（図中上側）には、ネジ８７、８８、８９、９０のネジ部が挿入される図示しない貫通孔が形成されている。取り付け金具６３には、ネジ８７、８８のネジ部が挿入される図示しない貫通孔が形成されている。取り付け金具６４は、ネジ８９、９０のネジ部が挿入される図示しない貫通孔が形成されている。ネジ８７、８８、８９、９０は、そのネジ部が取り付け金具６３、６４の貫通孔に挿入し垂直面部８１の貫通孔に挿入し隔壁８に螺入することで、スタッカ装置用取り付けフレーム６２を隔壁８にネジ止め固定する。
【００３７】
以下、前記コントローラ１２と前記スタッカ装置１１について詳細に説明する。図５に示すように、前記コントローラ１２の背面側には、コントローラ用取り付けフレーム６１のネジ穴４５、４６、４７、４８に対応する位置に取り付け片９１、９２、９３、９４が形成されている。
【００３８】
ネジ９５、９６、９７、９８は、そのネジ部が取り付け片９１、９２、９３、９４の貫通孔にそれぞれ挿入しネジ穴４５、４６、４７、４８（図４参照）にそれぞれ螺入することで、取り付け片９１、９２、９３、９４をコントローラ用取り付けフレーム６１の垂直面部６５にネジ止め固定している。前記コントローラ１２の前面には、左側から順に、左側表示部１０１、中央表示部１０２、キー入力部１０３が設けられている。左側表示部１０１及び中央表示部１０２は、例えば液晶パネルや発光ダイオードの表示パネルで構成されており、遊技設備の管理状況を表示する。
【００３９】
前記スタッカ装置１１は、蝶番機構１５（図２参照）を介してスタッカ装置用取り付けフレーム６２の垂直面部８１に取り付けられている。上記スタッカ装置１１は、紙幣整順部１０４，紙幣振分部１０５及び紙幣収容部１０６から構成されている。紙幣振分部１０５及び紙幣収容部１０６は、紙幣整順部１０４の上側に左右に並べて設けられている。
【００４０】
前記スタッカ装置１１は、紙幣搬送装置７により搬送されてくる紙幣６を紙幣整順部１０４により受け入れて１枚ずつ整順し、紙幣振分部１０６により金額別に振り分けて、振り分けた一千円紙幣、五千円紙幣、一万円紙幣を紙幣収容部１０６の一千円用収容部１０７、五千円用収容部１０８、一万円用収容部１０９にそれぞれ収容するようになっている。
【００４１】
以下、管理ボックス１３について詳細に説明する。図６に示すように、前記管理ボックス１３のボックス本体２１の上面３４には平面部１１１が設けられ、ボックス本体２１の下面３５（図３参照）には平面部１１２（図３参照）が設けられ、ボックス本体２１の一方の側面３３（図３参照）の背面側には扉取り付け部１１３（図３参照）が設けられ、ボックス本体２１の他方の側面３６には側壁１１４が設けられている。平面部１１１の背面寄りには、スリット４１、４２が形成され、平面部１１２（図３参照）の背面寄りには、スリット４３、４４（図３参照）が形成されている。
【００４２】
前扉２２は、図８に示すように、上下の蝶番機構１１５、１１６を介して前記ボックス本体２１の側壁１１４側の枠に対して回動可能に取り付けられている。前扉２２は、蝶番機構１１５、１１６を中心にして平面部１１１側から見て時計回り回転させることで、前記前面３２の開口３７を閉塞させることができる。
【００４３】
側面扉２３は、図７に示すように、上下の蝶番機構１１７、１１８を介して扉取り付け部１１３に対して回動可能に取り付けられている。側面扉２３は、上下の蝶番機構１１７、１１８を中心にして平面部１１１側から見て図８の状態から反時計回り回転させることで、図７に示すように前記一方の側面３３の開口３８を閉塞させることができる。
【００４４】
図７に示すように、前扉２２の一方の側面３３寄りには、前扉２２及び側面扉２３を同時に開錠するための鍵が挿入される鍵穴１１９が設けられている。
前扉２２の鍵穴１１９の裏側には、図８に示すように、鍵本体１２０が設けられている。一方、側面扉２３の裏側には、施錠の際に、鍵本体１２０の係合部１２１と係合する係合部１２２が設けられている。
【００４５】
遊技島１（図１参照）の管理者等が鍵穴１１９（図７参照）に所定の鍵を挿入して開錠操作すると、図８に示すように、係合部１２１と係合部１２２による施錠が解除されて、蝶番機構１１５、１１６、１１７、１１８（図７参照）によってボックス本体２１に取り付けられている前扉２２及び側面扉２３をそれぞれ前方及び側方へ開くことができるようになっている。
【００４６】
図７に示すように、前扉２２の上面３４寄り及び下面３５寄りの位置には、それぞれ透明樹脂による観察窓１２３、１２４が設けられている。
観察窓１２３、１２４は、前記管理ボックス１３の取り付け方向に応じて、前記コントローラ１２の中央表示部１０２（図８参照）を外側から観察できるようにしたものである。
【００４７】
側面扉２３の上面３４寄り及び下面３５寄りの位置には、前記コントローラ１２と前記スタッカ装置１１の過熱を防止するための複数の通気孔１２５が形成されている。
【００４８】
なお、図示しないが、隔壁８には、前記スタッカ装置１１及び前記コントローラ１２からの信号ケーブルを通過させるための貫通孔も形成されている。
【００４９】
以下、島端装置９の組み立て方法について説明する。まず、島端装置９の第１の組み立て方法として、前記コントローラ１２を前記スタッカ装置１１の上側に配置し、前扉２２を左開きにし、側面扉２３を左側の配置する場合について説明する。
【００５０】
第１の組み立て方法の場合には、まず、作業者は、図４に示すように、隔壁８に、コントローラ用取り付けフレーム６１を上側にし、スタッカ装置用取り付けフレーム６２を下側にし、取り付け金具６３、６４を介してネジ止め固定する。
【００５１】
次に、作業者は、スタッカ装置用取り付けフレーム６２の左側のネジ穴４９、５０とネジを用いて、蝶番機構１５（図２参照）の一方の取り付け部をスタッカ装置用取り付けフレーム６２の左側にネジ止めし、蝶番機構１５（図２参照）の他方の取り付け部を前記スタッカ装置１１（図２参照）の背面左側に取り付ける。次に、作業者は、図５に示すように、コントローラ用取り付けフレーム６１にコントローラ１２をネジ止める固定する。
【００５２】
この後、作業者は、管理ボックス１３（図６参照）の平面部１１１（図６参照）を上側に向け、管理ボックス１３（図６参照）の前記背面３１（図３参照）側から前記スタッカ装置１１及び前記コントローラ１２を収納させ、平面部１１１（図６参照）のスリット４１、４２（図６参照）にコントローラ用取り付けフレーム６１の水平面部６６の突起部６７、６８を挿入することで、コントローラ用取り付けフレーム６１の水平面部６６に管理ボックス１３（図６参照）を取り付け、図６及び図７に示すように島端装置９を完成させる。
【００５３】
島端装置９は、遊技島１の管理者等が鍵穴１１９に所定の鍵を挿入して開錠操作すると、図８に示すように、係合部１２１と係合部１２２による施錠が解除されて、左側の側面扉２３及び左開きの前扉２２を中央から左右両側に対称に開くことができる。
【００５４】
蝶番機構１５の取り付け位置は、前記スタッカ装置１２の背面左側及び前記スタッカ装置用取り付けフレーム６２の前面左側間に配置されるので、前記スタッカ装置１２は、図９に示すように、メンテナンスの際に４分の１回転して左側に移動させたり、左側に移動した状態から取り外したりすることができる。
【００５５】
このような第１の組み立て方法による島端装置９は、当該島端装置９が右側の壁際に配置される場合、当該島端装置９の右側に柱がある場合、当該島端装置９の下側にジェットカウンター等の設備を配置する場合、紙幣搬送装置７が比較的低い位置に配置される場合等に適している。
【００５６】
島端装置９の第２の組み立て方法として、前記コントローラ１２を前記スタッカ装置１１の上側に配置し、前扉２２を右開きにし、側面扉２３を右側の配置する場合について説明する。
【００５７】
第２の組み立て方法の場合には、まず、作業者は、図４に示すように、第１の組み立て方法と同様に、隔壁８に、コントローラ用取り付けフレーム６１を上側にし、スタッカ装置用取り付けフレーム６２を下側にしてネジ止め固定する。
【００５８】
次に、作業者は、スタッカ装置用取り付けフレーム６２の右側のネジ穴５１、５２とネジを用いて、蝶番機構１５（図２参照）の一方の取り付け部をスタッカ装置用取り付けフレーム６２の右側にネジ止めし、蝶番機構１５（図２参照）の他方の取り付け部を前記スタッカ装置１１（図２参照）の背面右側にネジ止めして取り付ける。次に、作業者は、コントローラ用取り付けフレーム６１にコントローラ１２（図２参照）をネジ止める固定する。
【００５９】
この後、作業者は、管理ボックス１３（図３参照）の平面部１１２（図３参照）を上側に向け、管理ボックス１３（図３参照）の前記背面３１（図３参照）側から前記スタッカ装置１１及び前記コントローラ１２を収納させ、平面部１１２（図３参照）のスリット４４、４３（図３参照）にコントローラ用取り付けフレーム６１の水平面部６６の突起部６７、６８を挿入することで、コントローラ用取り付けフレーム６１の水平面部６６に管理ボックス１３（図３参照）を取り付け、図１０に示す島端装置９を完成させる。
【００６０】
第２の組み立て方法による島端装置９は、遊技島１（図１参照）の管理者等が鍵穴１１９（図６参照）に所定の鍵を挿入して開錠操作すると、図１０に示すように、右開きの前扉２２及び右側の側面扉２３を中央から左右両側に対称に開くことができる。
【００６１】
また、蝶番機構１５の取り付け位置は、前記スタッカ装置１２の背面右側及び前記スタッカ装置用取り付けフレーム６２の前面右側間に配置されるので、前記スタッカ装置１２は、図１１に示すように、メンテナンスの際に右側に移動させたり、取り外したりすることができる。
【００６２】
このような第２の組み立て方法による島端装置９は、当該島端装置９が左側の壁際に配置される場合、当該島端装置９の左側に柱がある場合、当該島端装置９の下側にジェットカウンター等の設備を配置する場合、紙幣搬送装置７が比較的低い位置に配置される場合等に適している。
【００６３】
島端装置９の第３の組み立て方法として、前記コントローラ１２を前記スタッカ装置１１の下側に配置し、前扉２２を左開きにし、側面扉２３を左側の配置する場合について説明する。
【００６４】
第３の組み立て方法の場合には、まず、作業者は、図１２に示すように、隔壁８に、コントローラ用取り付けフレーム６１を下側にし、スタッカ装置用取り付けフレーム６２を上側にし、取り付け金具６３、６４を介してネジ止め固定する。この場合、水平面部６６を下側に向け、水平面部８２を上側に向けて配置する。
【００６５】
次に、作業者は、スタッカ装置用取り付けフレーム６２の左側のネジ穴５１、５２とネジを用いて、蝶番機構１５（図２参照）の一方の取り付け部をスタッカ装置用取り付けフレーム６２の左側にネジ止めし、蝶番機構１５の他方の取り付け部を前記スタッカ装置１１（図２参照）の背面左側に取り付ける。
【００６６】
次に、作業者は、図１３に示すように、コントローラ用取り付けフレーム６１にコントローラ１２をネジ止める固定する。尚、第３の組み立て方法においても、スタッカ装置１１は、紙幣振分部１０４が下側に来るように取り付け、コントローラ１２は、左側表示部１０１が左側に来るように取り付ける。
【００６７】
この後、作業者は、管理ボックス１３（図６参照）の平面部１１１（図６参照）を上側に向け、管理ボックス１３（図６参照）の前記背面３１（図３参照）側から前記スタッカ装置１１及び前記コントローラ１２を収納させ、平面部１１１（図６参照）のスリット４１、４２（図６参照）にスタッカ装置用取り付けフレーム６２の水平面部８２の突起部８４、８３を挿入することで、スタッカ装置用取り付けフレーム６２の水平面部８２に管理ボックス１３（図６参照）を取り付けて島端装置９を完成させる。
【００６８】
第３の組み立て方法による島端装置９は、遊技島１（図１参照）の管理者等が鍵穴１１９（図６参照）に所定の鍵を挿入して開錠操作すると、左側の側面扉２３（図８参照）及び左開きの前扉２２（図８参照）を中央から左右両側に対称に開くことができる。
【００６９】
蝶番機構１５（図２参照）の取り付け位置は、前記スタッカ装置１２の背面左側及び前記スタッカ装置用取り付けフレーム６２の前面左側間に配置されるので、前記スタッカ装置１２は、図９に示した第１の組み立て方法と同様に、メンテナンスの際に左側に移動させ取り外す等することができる。
【００７０】
このような第３の組み立て方法による島端装置９は、当該島端装置９が右側の壁際に配置される場合、当該島端装置９の右側に柱がある場合、当該島端装置９の下側に空きがある場合、紙幣搬送装置７が比較的高い位置に配置される場合等に適している。
【００７１】
島端装置９の第４の組み立て方法として、前記コントローラ１２を前記スタッカ装置１１の下側に配置し、前扉２２を右開きにし、側面扉２３を右側の配置する場合について説明する。
【００７２】
この場合には、まず、作業者は、第３の組み立て方法と同様に、図１２に示すように、隔壁８に、コントローラ用取り付けフレーム６１を下側にし、スタッカ装置用取り付けフレーム６２を上側にてネジ止め固定する。
【００７３】
次に、作業者は、スタッカ装置用取り付けフレーム６２の右側のネジ穴４９、５０とネジを用いて、蝶番機構１５（図２参照）の一方の取り付け部をスタッカ装置用取り付けフレーム６２の右側にネジ止めし、蝶番機構１５の他方の取り付け部を前記スタッカ装置１１（図２参照）の背面右側に取り付ける。  次に、作業者は、図１３に示すように、コントローラ用取り付けフレーム６１にコントローラ１２をネジ止める固定する。この後、作業者は、管理ボックス１３（図３参照）の平面部１１２（図３参照）を上側に向け、管理ボックス１３（図３参照）の前記背面３１（図３参照）側から前記スタッカ装置１１及び前記コントローラ１２を収納させ、平面部１１２（図３参照）のスリット４４、４３（図６参照）にスタッカ装置用取り付けフレーム６２の水平面部８２の突起部８４、８３を挿入することで、スタッカ装置用取り付けフレーム６２の水平面部８２に管理ボックス１３（図６参照）を取り付けて島端装置９を完成させる。
【００７４】
第４の組み立て方法による島端装置９は、遊技島１（図１参照）の管理者等が鍵穴１１９（図６参照）に所定の鍵を挿入して開錠操作すると、右開きの前扉２２（図１０参照）及び右側の側面扉２３（図１０参照）を中央から左右両側に対称に開くことができる。
【００７５】
蝶番機構１５（図１０参照）の取り付け位置は、前記スタッカ装置１２の背面右側及び前記スタッカ装置用取り付けフレーム６２の前面右側間に配置されるので、前記スタッカ装置１２は、図１１に示した第２の組み立て方法と同様に、メンテナンスの際に右側に移動させたり、取り外したりすることができる。
【００７６】
このような組み立て方法による島端装置９は、当該島端装置９左側の壁際に配置される場合、当該島端装置９の左側に柱がある場合、当該島端装置９の下側に空きがある場合、紙幣搬送装置７が比較的高い位置に配置される場合等に適している。
【００７７】
以上に説明したように、本実施形態によれば、管理ボックス１３の前扉２２及び側面扉２３の開閉方向、スタッカ装置１２の取り付け／取り外しの際の移動方向、またはスタッカ装置１２とコントローラ１１の配置関係を変更できる等、設置の態様にある程度の自由度をもたせることができるので、遊技店内のレイアウトや遊技島構造等の実情に合わせて、部品を交換等することなく容易に設置変更ができる。例えば島端装置９の設置作業開始時に、予定の配置位置を変更せざるを得なくなった場合でも、新規の部品を追加等することなく、現場において迅速に対応することができる。これにより、島端装置９の現場での設置及び保守作業を容易かつ迅速に行えるようにし、また作業に費やされるコストを大幅に低減することができる。
【産業上の利用可能性】
【００７８】
本発明は、パチスロ機の遊技島の島端装置に限らず、パチンコ機の遊技島の島端装置にも応用できることが考えられる。
【図面の簡単な説明】
【００７９】
【図１】図１は、本発明の一実施形態による遊技島の構成を示す斜視図である。
【図２】図２は、本発明の一実施形態による島端装置の分解斜視図である。
【図３】図３は、本発明の一実施形態による島端装置の管理ボックスの背面側から見た斜視図である。
【図４】図４は、本発明の一実施形態による遊技島の隔壁に背面フレームを取り付けた状態の斜視図である。
【図５】図５は、本発明の一実施形態による隔壁に背面フレームとスタッカ装置とコントローラを取り付けた状態の斜視図である。
【図６】図６は、本発明の一実施形態による隔壁に完全に組み立てた島端装置を取り付けた状態の斜視図である。
【図７】図７は、本発明の一実施形態による島端装置を左側から見た斜視図である。
【図８】図８は、本発明の一実施形態による島端装置の前扉と側面扉を開いた状態の斜視図である。
【図９】図９は、本発明の一実施形態による島端装置のスタッカ装置を左側に移動させた状態の斜視図である。
【図１０】図１０は、本発明の一実施形態による島端装置を図６の状態から組み替え側面扉の位置とスタッカ装置の移動可能な方向を変更した状態の斜視図である。
【図１１】図１１は、本発明の一実施形態による島端装置のスタッカ装置を図１０の状態から右側に移動させた状態の斜視図である。
【図１２】図１２は、本発明の一実施形態による島端装置の隔壁に背面フレームを図４に示した状態から上下逆にして取り付けた状態の斜視図である。
【図１３】図１３は、本発明の一実施形態による島端装置の図１２に示した状態の背面フレームにスタッカ装置とコントローラを取り付けた状態の斜視図である。
【符号の説明】
【００８０】
１…遊技島、２…遊技機、３…遊技媒体貸出機、
４…現金投入口、５…メダル排出口、６…紙幣、
７…紙幣搬送装置、８…隔壁、９…島端装置、
１１…スタッカ装置、１２…コントローラ、１３…管理ボックス、
１４…背面フレーム、１５…蝶番機構、２１…ボックス本体、
２２…前扉、２３…側面扉、３１…背面、３２…前面、
３３…一方の側面、３４…上面、３５…下面、
３６…他方の側面、３７…開口、３８…開口、
４１、４２、４３、４４…スリット、
４５、４６、４７、４８、４９、５０、５１、５２…ネジ穴、
６１…コントローラ用取り付けフレーム、
６２…スタッカ装置用取り付けフレーム、
６３、６４…取り付け金具、６５…垂直面部、６６…水平面部、
６７、６８…突起部、７１、７２、７３、７４…ネジ、
８１…垂直面部、８２…水平面部、８３、８４…板状の突起部、
８５…紙幣排出口、８６…貫通部、
８７、８８、８９、９０…ネジ、
９１、９２、９３、９４…取り付け片、１０１…左側表示部、
１０２…中央表示部、１０３…キー入力部、１０４…紙幣整順部、
１０５…紙幣振分部、１０６…紙幣収容部、
１０７…一千円用収容部、１０８…五千円用収容部、
１０９…一万円用収容部、１１１…平面部、１１２…平面部、
１１３…扉取り付け部、１１４…側壁、１１５、１１６…蝶番機構、
１１７、１１８…上下の蝶番機構、１１９…鍵穴、
１２０…鍵本体、１２１…係合部、１２２…係合部、
１２３、１２４…観察窓
【図１】
2006204726.tif 000003
【図２】
2006204726.tif 000004
【図３】
2006204726.tif 000005
【図４】
2006204726.tif 000006
【図５】
2006204726.tif 000007
【図６】
2006204726.tif 000008
【図７】
2006204726.tif 000009
【図８】
2006204726.tif 000010
【図９】
2006204726.tif 000011
【図１０】
2006204726.tif 000012
【図１１】
2006204726.tif 000013
【図１２】
2006204726.tif 000014
【図１３】
2006204726.tif 000015